【事件の表示】
　特願２０１２−１５５５８３「皮膚用剤」拒絶査定不服審判事件〔平成２４年１０月１１日出願公開、特開２０１２−１９３２００〕について、次のとおり審決する。
【結　論】
　本件審判の請求は、成り立たない。
【理　由】
１　手続の経緯
　本願は、平成１４年１０月１８日（優先権主張：平成１３年１０月３１日、平成１４年２月２０日、平成１４年１０月７日）を出願日とする特願２００２−３０３８７８号（以下「原出願」という。）の一部を平成２４年７月１１日に新たな特許出願としたものであって、平成２５年９月２４日付けで拒絶理由が通知され、同年１１月２１日付けで意見書とともに手続補正書が提出され、平成２６年４月２２日付けで拒絶査定がなされ、同年７月２８日に拒絶査定不服の審判請求がなされたものである。
２　本願発明
　本願の請求項１−１３に係る発明は、平成２５年１１月２１日付け手続補正書により補正された特許請求の範囲の請求項１−１３に記載された事項により特定されるとおりのものであるところ、そのうち、請求項１に係る発明（以下、「本願発明」という。）は、次のとおりのものである。
「　【請求項１】
Ａ．コール酸
Ｂ．大豆イソフラボンまたは大豆イソフラボン配糖体
Ｃ．クルクミン
のＡ、ＢおよびＣの成分を含むことを特徴とする皮膚用剤。」
３　原査定の理由
　原査定の理由は、「この出願については、平成２５年９月２４日付け拒絶理由通知書に記載した理由２によって、拒絶をすべきものです。」というものであり、要するに、当該理由２として、本願発明は、その原出願の優先権主張日前に頒布された下記の刊行物１−１１に記載された発明及び刊行物２、１２−１４に記載されるような周知技術から当業者が容易に発明をすることができたものであるから、特許法第２９条第２項の規定により特許を受けることができない、というものである。
１．特開平１０−１２０５７９号公報
２．特開平１０−１１４６６５号公報
３．特開２０００−３０２６７８号公報
４．特開２００１−３９８４９号公報
５．特開平１−９６１０６号公報
６．特公昭６０−１９８８５号公報
７．特開平１０−１７５８６０号公報
８．特開平１０−１２０５５８号公報
９．特開平１０−１１４６４９号公報
１０．特開平１０−１９４９３８号公報
１１．特開平６−２２７９５９号公報
１２．特開平１１−２５５６１７号公報
１３．特開２０００−１９１５２５号公報
１４．特開２０００−１０３７１８号公報
４　各刊行物の記載事項
（１）刊行物１
ａ　「【請求項１】　胆汁酸及びその生理的に許容される塩からなる群から選ばれる１種又は２種以上を有効成分とする、津液改善用皮膚外用剤。
【請求項２】　前記胆汁酸がコール酸である、請求項１記載の皮膚外用剤。
【請求項３】　前記胆汁酸及びその生理的に許容される塩からなる群から選ばれる１種又は２種以上を０．００１〜１０重量％含有する、請求項１又は２記載の津液改善用皮膚外用剤。
【請求項４】　化粧料である、請求項１〜３のいずれかに記載の皮膚外用剤。
【請求項５】　医薬である、請求項１〜３のいずれかに記載の皮膚外用剤。
【請求項６】　美肌作用、アトピー性皮膚炎治療作用、皮膚炎群治療作用、皮膚真菌症治療作用、疣贅治療作用、色素沈着症治療作用、尋常性乾癬治療症、老人性乾皮症、老人性角化腫治療作用、皮膚損傷治療作用、発毛促進作用、消化液分泌促進作用、発汗促進作用、便通促進作用、及び利尿作用からなる群から選ばれる津液作用の改善用である、請求項１〜５のいずれかに記載の皮膚外用剤。」（【特許請求の範囲】）
ｂ　「【発明の属する技術分野】本発明は、津液作用の改善に有益な化粧料、医薬等の皮膚外用剤に関する。」（【０００１】）
（２）刊行物２
ａ　「【請求項１】　胆汁酸及び／又はその生理的に許容される塩からなる、津液改善剤。
【請求項２】　前記胆汁酸がコール酸である、請求項１記載の津液改善剤。
【請求項３】　請求項１又は２記載の津液改善剤を含有する、経口投与用組成物。
【請求項４】　食品である、請求項３記載の組成物。
【請求項５】　医薬である、請求項３記載の組成物。
【請求項６】　津液作用の改善に用いられる、請求項３〜５のいずれかに記載の組成物。
【請求項７】　前記津液作用が、美肌作用、アトピー性皮膚炎治療作用、皮膚炎群治療作用、皮膚真菌症治療作用、疣贅治療作用、色素沈着症治療作用、尋常性乾癬治療症、老人性乾皮症、老人性角化腫治療作用、皮膚損傷治療作用、発毛促進作用、消化液分泌促進作用、発汗促進作用、便通促進作用、及び利尿作用からなる群から選ばれる作用である、請求項６記載の組成物。」（【特許請求の範囲】）
ｂ　「【発明の属する技術分野】本発明は、津液作用の改善効果を有する津液改善剤、及びそれを含有する食品、医薬等の経口投与用組成物に関する。」（【０００１】）
（３）刊行物７
ａ　「【請求項１】　下記一般式（Ｉ）で表される化合物、前記化合物の生理的に許容される塩、又は前記化合物の配糖体からなる、津液改善剤。
…
【請求項２】　前記一般式（Ｉ）で表される化合物が、下記一般式（ＩＩ）で表されるクエルセチン、下記一般式（ＩＩＩ）で表されるカンフェロール、下記一般式（ＩＶ）で表されるゲンカイン、下記一般式（Ｖ）で表されるゲニステイン、下記一般式（ＶＩ）で表されるダイズエイン、下記一般式（ＶＩＩ）で表されるバイカレイン、下記一般式（ＶＩＩＩ）で表されるデオキシクエルセチン、下記一般式（ＩＸ）で表されるデオキシカンフェロール、下記一般式（Ｘ）で表されるデオキシゲンカイン、下記一般式（ＸＩ）で表されるデオキシゲニステイン、もしくは下記一般式（ＸＩＩ）で表されるデオキシダイズエイン又はこれらのアシル化物である、請求項１記載の津液改善剤。
…
【請求項３】　請求項１又は２記載の津液改善剤を含有する、経口投与用組成物。
【請求項４】　食品組成物である、請求項３記載の組成物。
【請求項５】　医薬組成物である、請求項３記載の組成物。
【請求項６】　津液作用の改善に用いられる、請求項３〜５のいずれかに記載の組成物。
【請求項７】　前記津液作用が、美肌作用、アトピー性皮膚炎治療作用、皮膚炎群治療作用、皮膚真菌症治療作用、疣贅治療作用、色素沈着症治療作用、尋常性乾癬治療症、老人性乾皮症、老人性角化腫治療作用、皮膚損傷治療作用、発毛促進作用、消化液分泌促進作用、発汗促進作用、便通促進作用、及び利尿作用からなる群から選ばれる作用である、請求項６記載の組成物。」（【特許請求の範囲】）
ｂ　「【発明の属する技術分野】本発明は、津液作用の改善効果を有する津液改善剤、及びそれを含有する食品、医薬等の経口投与用組成物に関する。」（【０００１】）
（４）刊行物８
ａ　「【請求項１】　下記一般式（Ｉ）で表される化合物及びその生理的に許容される塩からなる群から選ばれる１種又は２種以上を有効成分とする、津液改善用皮膚外用剤。
…
【請求項２】　前記一般式（Ｉ）で表される化合物が、下記一般式（ＩＩ）で表されるカプサイシン、下記一般式（ＩＩＩ）で表されるシナピン、もしくは下記一般式（ＩＶ）で表されるクルクミン又はこれらの低鎖長アシル化物である、請求項１記載の津液改善用皮膚外用剤。
…
【請求項３】　前記一般式（Ｉ）で表される化合物及びその生理的に許容される塩からなる群から選ばれる１種又は２種以上を０．００１〜１０重量％含有する、請求項１又は２記載の津液改善用皮膚外用剤。
【請求項４】　化粧料である、請求項１〜３のいずれかに記載の皮膚外用剤。
【請求項５】　医薬である、請求項１〜３のいずれかに記載の皮膚外用剤。
【請求項６】　美肌作用、アトピー性皮膚炎治療作用、皮膚炎群治療作用、皮膚真菌症治療作用、疣贅治療作用、色素沈着症治療作用、尋常性乾癬治療症、老人性乾皮症、老人性角化腫治療作用、皮膚損傷治療作用、発毛促進作用、消化液分泌促進作用、発汗促進作用、便通促進作用、及び利尿作用からなる群から選ばれる津液作用の改善用である、請求項１〜５のいずれかに記載の皮膚外用剤。」（【特許請求の範囲】）
ｂ　「【発明の属する技術分野】本発明は、津液作用の改善に有益な化粧料、医薬等の皮膚外用剤に関する。」（【０００１】）
（５）刊行物９
ａ　「【請求項１】　下記一般式（Ｉ）で表される化合物及び／又はその生理的に許容される塩からなる、津液改善剤。
…
【請求項２】　前記一般式（Ｉ）で表される化合物が、下記一般式（ＩＩ）で表されるカプサイシン、下記一般式（ＩＩＩ）で表されるシナピン、もしくは下記一般式（ＩＶ）で表されるクルクミン又はこれらのアシル化物である、請求項１記載の津液改善剤。
…
【請求項３】　請求項１又は２記載の津液改善剤を含有する、経口投与用組成物。
【請求項４】　食品である、請求項３記載の組成物。
【請求項５】　医薬である、請求項３記載の組成物。
【請求項６】　津液作用の改善に用いられる、請求項３〜５のいずれかに記載の組成物。
【請求項７】　前記津液作用が、美肌作用、アトピー性皮膚炎治療作用、皮膚炎群治療作用、皮膚真菌症治療作用、疣贅治療作用、色素沈着症治療作用、尋常性乾癬治療症、老人性乾皮症、老人性角化腫治療作用、皮膚損傷治療作用、発毛促進作用、消化液分泌促進作用、発汗促進作用、便通促進作用、及び利尿作用からなる群から選ばれる作用である、請求項６記載の組成物。」（【特許請求の範囲】）
ｂ　「【発明の属する技術分野】本発明は、津液作用の改善効果を有する津液改善剤、及びそれを含有する食品、医薬等の経口投与用組成物に関する。」（【０００１】）
５　各刊行物に記載された発明
（１）刊行物１に記載された発明（以下、「引用発明１」という。）
　刊行物１には、コール酸を有効成分とする、津液作用の改善に有益な化粧料、医薬等の皮膚外用剤（上記４（１）ａ、ｂ）が記載されており、刊行物１には引用発明１「コール酸を含む皮膚外用剤」が記載されているものと認められる。
（２）刊行物２に記載された発明（以下、「引用発明２」という。）
　刊行物２には、コール酸を含有する、津液作用の改善効果を有する津液改善剤、及びそれを含有する食品、医薬等の経口投与用組成物（上記４（２）ａ、ｂ）が記載されており、刊行物２には引用発明２「コール酸を含む津液作用の改善効果を有する津液改善剤、及びそれを含有する食品、医薬等の経口投与用組成物」が記載されているものと認められる。
（３）刊行物７に記載された発明（以下、「引用発明７」という。）
　刊行物７には、クエルセチン、カンフェロール、ゲンカイン、ゲニステイン、ダイズエイン、バイカレイン、デオキシクエルセチン、デオキシカンフェロール、デオキシゲンカイン、デオキシゲニステイン、もしくはデオキシダイズエイン、又はこれらの化合物の配糖体からなる、津液作用の改善効果を有する津液改善剤、及びそれを含有する食品、医薬等の経口投与用組成物（上記４（３）ａ、ｂ）が記載されており、刊行物７には引用発明７「クエルセチン、カンフェロール、ゲンカイン、ゲニステイン、ダイズエイン、バイカレイン、デオキシクエルセチン、デオキシカンフェロール、デオキシゲンカイン、デオキシゲニステイン、もしくはデオキシダイズエイン、又はこれらの化合物の配糖体を含む津液作用の改善効果を有する津液改善剤、及びそれを含有する食品、医薬等の経口投与用組成物」が記載されているものと認められる。
（４）刊行物８に記載された発明（以下、「引用発明８」という。）
　刊行物８には、クルクミンを有効成分とする、津液作用の改善に有益な化粧料、医薬等の皮膚外用剤（上記４（４）ａ、ｂ）が記載されており、刊行物８には引用発明８「クルクミンを含む皮膚外用剤」が記載されているものと認められる。
（５）刊行物９に記載された発明（以下、「引用発明９」という。）
　刊行物９には、クルクミンからなる、津液作用の改善効果を有する津液改善剤、及びそれを含有する食品、医薬等の経口投与用組成物（上記４（５）ａ、ｂ）が記載されており、刊行物９には引用発明９「クルクミンを含む津液作用の改善効果を有する津液改善剤、及びそれを含有する食品、医薬等の経口投与用組成物」が記載されているものと認められる。
６　対比
　本願発明と引用発明７とを対比する。
　引用発明７において使用されるゲニステイン及びダイズエインは大豆イソフラボンである。また、引用発明７における「津液作用」は、「美肌作用、アトピー性皮膚炎治療作用、皮膚炎群治療作用、皮膚真菌症治療作用、疣贅治療作用、色素沈着症治療作用、尋常性乾癬治療症、老人性乾皮症、老人性角化腫治療作用、皮膚損傷治療作用、発毛促進作用、消化液分泌促進作用、発汗促進作用、便通促進作用、及び利尿作用」（以下、「作用群」という。）といった、本願発明の皮膚用剤と同様の作用であること（上記４（３）ａ）が記載されていることに鑑みると、引用発明７の「津液作用の改善効果を有する津液改善剤、及びそれを含有する食品、医薬等の経口投与用組成物」は本願発明でいう「皮膚用剤」相当するものと解される。
　そうすると、本願発明と引用発明７とは、「大豆イソフラボンまたは大豆イソフラボン配糖体を含む皮膚用剤」という点で一致し、次の点で相違する。
　相違点：本願発明はコール酸とクルクミンも含むものであるのに対し、引用発明７はこれらを含むことは示されていない点。
７　判断
　上記相違点について検討する。
　まず、引用発明１及び８の「皮膚外用剤」は、本願発明でいう「皮膚用剤」に相当する。また、引用発明２及び９の「津液作用の改善効果を有する津液改善剤、及びそれを含有する食品、医薬等の経口投与用組成物」は、上記６で検討したことと同様、上記作用群を奏するものであるから、本願発明や引用発明７と同様、本願発明でいう「皮膚用剤」に相当するものと解される。
　コール酸を含有し、津液作用の改善に有益であり、化粧料や医薬等に使用され、本願発明と同様の作用群を発揮する皮膚用剤は、引用発明１や２により、クルクミンを含有し、津液作用の改善に有益であり、化粧料や医薬等に使用され、本願発明と同様の上記作用群を発揮する皮膚用剤は、引用発明８や９により、それぞれ本願優先日前において周知である。
　引用発明１、２、７、８、９は、いずれも本願発明と同様、上記作用群を発揮するものであり、また、化粧料や医薬において、同様の作用が知られている成分を複数種配合してその効果を高めることは広く行われていることである。そうすると、引用発明７で示される「大豆イソフラボンまたは大豆イソフラボン配糖体」と引用発明１や２により周知の「コール酸」と引用発明８や９により周知の「クルクミン」とを組み合わせて「皮膚用剤」を構成してみることは、当業者が容易に想到しうることと認められる。
　その組み合わせたことによる作用について検討する。
　本願発明は医薬として「美肌作用、アトピー性皮膚炎治療作用、皮膚炎群治療作用、皮膚真菌治療作用、疣贅治療作用、色素沈着症治療作用、尋常性乾癖治療症、老人性乾皮症、老人性角化腫治療作用、皮膚損傷治療作用、発毛促進作用、消化液分泌促進作用、発汗促進作用、便通促進作用、内出血治療作用及び利尿作用」（請求項１０、【０００６】、【００１４】）との効果を奏するものであるが、これらは引用発明１、２、７、８、９により奏される作用群と共通するものであり、引用発明１、２、７、８、９から予測しうる程度のものに過ぎない。そして、本願明細書の実施例においては「コール酸」、「大豆イソフラボンまたは大豆イソフラボン配糖体」、「クルクミン」の三成分を含有する処方は示されているものの、その処方物を用いた際の作用を確認できる試験結果は何ら示されていない。【００３７】には「実施例７」のカプセル剤を用いた結果は示されているものの、「実施例７」はコール酸を含有するものではない。仮に「実施例７」の何らかの成分がコール酸を含有するとしても、「コール酸」、「大豆イソフラボンまたは大豆イソフラボン配糖体」、「クルクミン」という特定の三成分を含有させたことによって、そうでないものに対して何らかの格別の作用効果を奏していることを、本願明細書から見いだすことができない。してみると、本願発明により、当業者が引用発明１、２、７、８、９から予測し得ない効果が奏されるとは認められない。
　このため、本願発明は、引用発明７及び周知技術に基づいて、当業者が容易に発明をすることができたものであるから、特許法第２９条第２項の規定により特許を受けることができない。
８　請求人の主張について
　請求人は審判請求の理由において「本願発明においては、Ａ、Ｂ、Ｃ成分を組み合わせることについての動機づけがなく、審査基準の「論理づけができない場合は進歩性は否定されない」に該当するので、本願発明が進歩性があることは明らかである。
…本願発明は、皮膚に有効な成分ならどのような成分でもよいわけではなく、Ａ、Ｂ、Ｃという特定の成分を組み合わせるものであるので、動機づけにはならない。
　したがって、本願の請求項１の発明は引用文献１−１１あるいは引用文献１−１４の発明に基づいて当業者が容易に発明をすることは困難であるので、他について論ずるまでもなく、本願の請求項１の発明は特許法第２９条第２項の規定に該当しない。
　以上述べたように、拒絶査定が妥当ではなく本願発明は特許されるべきであるが、かりに、動機づけがあるとしても、本願発明は、顕著な効果があるので、審査基準の「引用発明と比較した有利な効果が明細書等の記載から明確に把握される場合には、進歩性の存在を肯定的に推認するのに役立つ事実として、これを参酌する。」に該当し、進歩性があることは明らかである。」と主張する。
　しかし、上記７で述べたとおり、化粧料や医薬において、同様の作用が知られている成分を複数種配合してその効果を高めることは広く行われていることであり、また、本願発明の顕著な作用効果を本願明細書等の記載から把握することはできない。このため、上記主張を勘案することができない。
９　むすび
　以上のとおりであるから、本願については、他の請求項について検討するまでもなく上記理由により拒絶すべきものである。
　よって、結論のとおり審決する。